(57)【要約】      （修正有）【課題】男性が立ち小便すると、勢いのある初期放尿で便座裏や便座カバー裏を汚し放置すると黄ばみ、水拭きしても落ちなかったり、終末期の垂れ尿は便器手前の床に漏れ、不衛生で掃除で手間取る等の欠点をなくすための男女兼用便器を提供する。【解決手段】本案の扉付きストール一体化腰掛け便器は、扉３は閉めてＵ字型便座９と便座カバー５を上下に開閉して用便するが、男性が腰掛け用便すると便座クションと便器本体上縁の隙間よりの放尿飛び出防止パッキン取付けにより解消したが、男性が立ち小便するときは、Ｕ字型便座９と便座カバー５は扉３に粘着させて扉３を右開きθ°＝１１０〜１２０°にし、腰掛け便器１の用便部に一歩前進し跨ぎ放尿することにより、便器を汚すことも床・マット等への漏れ尿も無くなり、清契・快適な男女兼用便器の提供可能にした。【選択図】図３
2020025842.tif 000002
【特許請求の範囲】
【請求項１】
腰掛け便器（１）の後方上部に一体成型化されたストール（２）を美観上隠す為、右開き扉（３）を設け、ストール（２）の右側面前部近くに支柱（６）を建柱して、ヒンジ（７）２ヶで取り付け、扉（３）の下辺部には、便座（９）と便座カバー（５）をヒンジ（７）で２ヶずつにより取りつけ垂直９０°上開き可能な三位一体構造にして、相互接触部の３ヶ所にマジックテープで着脱可能にして、使用目的に合せて使い分けられることを特徴とする幅２５〜３０ｃｍのＵ字型男女兼用便器。
【請求項２】
男性が腰掛け用便するとき、便座（１）と便座クッション（８）の隙間より、便器外前方への排尿飛び出防止パッキン（１０）のあることを特徴とする外法幅２５〜３０ｃｍのＵ字型男女兼用便器。
【発明の詳細な説明】
【技術分野】  この発明は、腰掛け便器の後方上部に扉付きストールを設け一体成型化した男女兼用便器に関するものである。
【背景の技術】
従来の腰掛け便器は幅広く、奥行が短かい為、老若男女兼用便器には不向きであった。
【発明の概容】
【発明が解決しようとする課題】
これには、次のような欠点があった。
従来の男女兼用便器は、男性が立ち小便すると、勢いのある初期放尿で便座裏や便座カバー裏を汚し放置すると黄ばみ、水拭きしても落ちなかったり、終末期の垂れ尿は便器手前の床に漏れ、不衛生で掃除等で手間取る為、自己責任で清掃するように注意されても、実行されず口論が絶えなかったり、又男性が腰掛け用便すると、便器と便座クッションの隙間より排尿が便器外前方へ飛び出し衣服を汚すことが時々あった。
本発明は、以上のような欠点をなくすためになされたものである。
【先行技術文献】
【特許文献】
【特許文献１】特開２００７−２４７１８６号公報
【課題を解決するための手段】
腰掛け便器（１）の上部後方に、男性が立ち小便するときの為にストール（ｓｔａｌｌ）（２）、外法・（幅３０ｃｍ、高さ４０ｃｍ、奥行き１０ｃｍ）を一体成型化し、美観上ストール（２）を隠す為に、扉（３）（幅３１ｃｍ、高さ４０ｃｍ、厚さ１ｃｍ）を支柱（６）（５ｃｍ角、長さ７０ｃｍ）にヒンジ（７）２ヶで取りつけ、他端は台座（１２）（１０ｃｍ角、厚さ１ｃｍ）に熔接して、アンカーボルト（１３）で床に固定されてゝ、扉（３）の下辺部には便座（９）と便座カバー（５）が垂直９０°上開き作動するように、各々ヒンジ（７）２ヶずつで取り付けられ、これ等は三位一体構造で、使用目的に合せて着脱可能にマジックテープ（１１）が３ヶ所に設けられ、男性が立ち小便するときは便座カバー（５）と便座（９）は引き起こし扉（３）に粘着し、扉（３）の把手（４）でマジックテープ（１１ａ１）を引き剥がし［て図面３］のように右開き（θ°＝１１０〜１２０°）にして、一歩前進し用便部（ドリップ（ｄｒｉｐ兼用）を跨ぎ放すると、勢いある初期放尿はストール（２）奥壁に衝突・滑落し排水口へ流れ飛び散りもなく、終末期の垂れ尿も全部用便部で受け止められ、床への漏れ尿も無くなり、次に男性が腰掛け用便するとき、便器（１）と便座クッション（８）の隙間（５〜１０ｍｍ）より便器外前方への排尿飛び出し防止パッキン（１０）（幅１ｃｍ、厚さ７〜１５ｍｍ、長さ１５〜２０ｃｍ）を円弧状に貼り付けられている。
本発明は、以上の構成よりなる男女兼用便器である。
【発明の効果】
ストールと腰掛け便器が一体成型化され、用便部も幅狭く、奥行き長くＵ字型になっているので男性の立ち小便時、一歩前進・跨いで排尿することにより、便器の汚れや、床面への漏れ尿も無くなり、又男性の腰掛け用便のとき、排尿の前方飛び出しトラブルも無くなり、清潔・快適で清掃も簡単な便所となる。
【発明を実施するための最良の形態】  腰掛け便器（１）の後方上部に一体成型化されたストール（２）を美観上隠す為、右開き扉（３）を設け、又ストール（２）右側面前部近くに建柱された支柱（６）にヒンジ（７）で取りつけ、扉（３）下辺部に便座（９）と便座カバー（５）を垂直９０°上開き可能にヒンジ（７）２ヶずつで取りつけ三位一体構造にして、相互接触部に３ヶ所をマジックテープ（１１ａ１・２、１１ｂ１・２、１１ｃ１・２）で着脱可能にして、使用目的に合せて使い分けられるようにし、用便部（１）の外法・（幅２５〜３０ｃｍ、外法奥行き５０ｃｍ、便座（９）床上高さ３０ｃｍ）の誰れでも跨ぎ用便可能な構造のＵ字型男女兼用便器である。
なお本案の用便後の洗浄方式は、タンク型又フラッシュバルブ型と組み合せた構造にすること。
【図面の簡単な説明】
【図１】本発明の左側面よりの斜視図である。
【図２】本発明の正面図である。
【図３】本発明の男性立ち小便時の様態平面図である。
【符号の説明】１    腰掛け便器
２    ストール
３    扉
４    扉の把手（幅１ｃｍ、縦長４０ｃｍ）
５    便座カバー
６    支柱
７    ヒンジ（×６ヶ）
８    便座クッション（×４ヶ）
９    Ｕ字型便座
１０  排尿飛び出し防止パッキン
１１  マジックテープ（１１ａ１・２、１１ｂ１・２、１１ｃ１・２）
１２  台座
１３  アンカーボルト
【図１】
2020025842.tif 000003
【図２】
2020025842.tif 000004
【図３】
2020025842.tif 000005
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
腰掛け便器（１）の後方上部に一体成型化されたストール（２）を美観上隠す為，左又は右開き扉（３）を設け，ストール（２）の左又は右側前部近くに支柱（６）を建柱して，ヒンジ（７）２ヶで取り付け，扉（３）の下辺部には，便座（９）と便座カバー（５）をヒンジ２ヶずつにより取りつけ垂直・水平起倒可能にし三者（３）・（９）・（５）を一体構造にして，相互接触部の３ヶ所に面テープで着脱可能にして，使用目的に合せて使い分けられること特徴とする，扉付きストール一体化腰掛け便器。
【請求項２】
男性が腰掛け用便するとき，便器（１）と便座クッション（８）の隙間より，便器外前方への排尿飛び出し防止パッキン（１０）を便座（９）の裏面に設けたことを特徴とする請求項１記載の扉付きストール一体化腰掛け便器。
【手続補正２】
【補正対象書類名】明細書
【補正対象項目名】全文
【補正方法】変更
【補正の内容】
【発明の詳細な説明】
【技術分野】  この発明は，腰掛け便器の後方上部に扉付きストールを設け一体成型化した男女兼用便器に関するものである。
【背景の技術】
従来の腰掛け便器は卵型で外法幅（≒３５ｃｍ），奥行（≒４０ｃｍ），高さ（≒４０ｃｍ）で老若男女兼用便器には不向きであった。
【発明の概要】
【発明が解決しようとする課題】  これには，次のような欠点があった。
従来の男女兼用便器には，男性が立ち小便すると，勢いのある初期放尿は便座裏や便座カバー裏等を汚し放置すると黄ばみ，水拭きしても落ちなくなり，終末期期の垂れ尿は便器手前の床に漏れ，不衛生で掃除等で手間取る為，自己責任で清掃するよう注意されても実行されず口論が絶えなかったり，又男性が腰掛け用便すると，便器と便座クッションの隙間より排尿が便器外前方へ飛び出し衣服を汚すことが時々あった。
本発明は，以上のような欠点を無くす為になされたものである。
【先術技術文献】
特開２００７−２４７１８６号
【課題を解決する為の手段】
腰掛け便器の上部後方に，男性が立ち小便するときの為にストール（ｓｔａｌｌ）（２）は外法幅≒３０ｃｍ，高さ≒４０ｃｍ，奥行き≒１０ｃｍを一体成型化し，美観上ストール（２）を隠す為に，左又は右開きの扉（３）を支持する為の支柱（６）をストール（２）の左又は右側面前部近くに建柱して，ヒンジ（７）２ヶで取り付け，扉（３）の下辺部には便座（９）と便座カバー（５）をヒンジ（７）で２ヶずつにより取りつけ便器（１）に対して垂直・水平に起倒可動するようにし，これ等三者（３）（９）（５）一体構造にして，使用目的に合せて着脱可能に面テープ（１１）が３ヶ所の同一位置に設けれており，▲１▼扉（３）裏面に１１ａ１・ストール（２）側面前部１１ａ２，▲２▼扉（３）表面上部に１１ｂ１・便座裏面に１１ｂ２，▲３▼便座表面に１１ｃ１・便座カバー裏面１１ｃ２合計３ヶ所に設けられており，まず通常の腰掛け用便するときは▲１▼扉（３）はストール（２）に粘着したまゝ▲３▼便座（９）の面テープ１１ｃ１を剥離し便器（１）に載せて行う，終了したら便座カバー（５）を便座（９）に被せ，洗浄水を流し終了する。次に男性が立ち小便するときは便座（９）と便座カバー（５）は扉（３）に粘着し，▲１▼扉（３）１１ａ１の面テープを剥離し，便器（１）；（外法幅≒２５〜３０ｃｍ，外法奥行≒５０ｃｍ，床上高さ≒３０ｃｍのＵ字型）を一歩前進・跨ぎ，″足場マーク″（１４）で勢のある初期排尿はストール（２）で衝突滑落し，終末期の垂れ尿も便器（１）で受け止めて，床に漏れ尿も無くなり，給水源よりフラッシュバルブ操作でストール（２）と便器内部を洗浄すればよい。
本発明は，以上の構成よりなる扉付きストール一体化腰掛け便器である。
【発明の効果】
扉付きストールと腰掛け便器が一体化され，用便部の外法幅も狭く，奥行きも長くＵ字型になっているので男性の立ち小便時，一歩前進跨いで足場マーク位置で扉（３）を開き排尿することにより，便座や便座カバー等を汚す事や便器手前の床漏れ尿も無くなり，又男性の腰掛け用便のとき，排尿の前方飛び出トラブルも無くなり，清潔・快適で掃除も簡単な便所となる。
【発明を実施するための最良の形態】  腰掛け便器（１）の後方上部に一体成型化されたストール（２）を美観上隠す為，施工上の都合で左又は右開き扉（３）を支持する為の支柱（６）をストール（２）側面前部近くに建柱し，これにヒンジ（７）２ヶで取りつけ，扉（３）下辺部に便座（９）と便座カバー（５）を上下に起倒可能に取りつけ，これ等三者，扉（３）・便座カバー（５）・便座（９）は使用目的に合せ着脱可能となるよう３ヶ所の同一位置に設け；（１１ａ１は扉（３）裏面上部・１１ａ２はストール（２）側面上部），（１１ｂ１は扉（３）表面上部・１１ｂ２は便座（５）裏面上部），（１１ｃ１は便器（５）表面上部・１１ｃ２は便座カバー（５）裏面上部）に設けて，腰掛け便器（１）の外法幅≒２５〜３０ｃｍ，外法奥行き≒５０ｃｍ，床上高さ≒３０ｃｍにして子供でも一歩前進・跨ぎ足場マーク位置で排尿可能なＵ字形にし，用便後の洗滌はフラツシユバルブ型の組み合た構造にすること。
【図面の簡単な説明】
【図１】本発明の右側よりの斜視図である。
【図２】本発明の正面図である。
【図３】本発明の男性立ち小便時の様態平面図である。
【符号の説明】１  腰掛け便器
２  ストール
３  扉
４  扉の把手（幅１ｃｍ，縦長４０ｃｍ）
５  便座カバー
６  支柱
７  ヒンジ（合計６ケ）
９  便座
１０  排尿飛び出し防止パツキン
１１  面テープ
１２  台座
１３  アンカーボルト
2020025842.tif 000006
【手続補正３】
【補正対象書類名】図面
【補正対象項目名】全図
【補正方法】変更
【補正の内容】
【図１】
2020025842.tif 000007
【図２】
2020025842.tif 000008
【図３】
2020025842.tif 000009
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
洋式便器の後方に扉付きストール部一体化して取付け、扉は右（施行の都合により左）開き用の支柱にヒンジ×２ヶで取りつけ、扉下辺部には便座カバーと便座をヒンジで各々２ヶずつで取りつけ起倒可能にした「扉付きストール部一体化腰掛け便器」。
【手続補正２】
【補正対象書類名】明細書
【補正対象項目名】全文
【補正方法】変更
【補正の内容】
【発明の詳細な説明】
【技術分野】
【０００１】  この発明は現今の腰掛け便器で男性が立ち小便するとき、便器やその周辺、床漏れ尿を防止出来るように、扉付きストール部一体化便器にし、更にドリップ部（用便部）はＵ字型の細長型にして、中央部を跨ぎ排尿することにより、床漏れ尿は無くなり清掃簡単で清潔・快適な男女兼用便器の提供可能にした。
【背景技術】
【０００２】  現今の男女兼用便器は横巾が広く、奥行は短く玉子型の便器の為、男性が立ち小便するとき、初期放尿で便座や便座カバーを汚し、終末期の垂れ尿は便器後部外の床面を汚し、放置すると尿石がこびりつき清掃が難しくななる為、汚染者が自己責任で清掃するように云われても実行されない事が多いので口論が絶えなかった。
【発明の概容】
【発明が解決しようとる課題】
【０００３】  これには次のような欠点があった。
（イ）  男性初期の強勢・前方放射尿は、便座や便座カバーを汚し、放置すると黄ばみ水拭きしても落ちなかった。
（ロ）  又、終末期垂れ尿は床面に尿石となり、清掃に手間取ってた。
【先行技術文献】
（イ）  特開２０１０−３７９０３（審査請求−無）
（ロ）  特開２００８−２２３４５７（審査請求−有）
（ハ）  特開２０００−３２５２６０（審査請求−無）
【課題を解決する手段】
【０００４】（イ）  一般男女兼用の腰掛け便器に一体化した扉付きストール部（以下全部概略寸法、巾４０ｃｍ・高さ５０ｃｍ・奥行１０ｃｍ・床面高８０ｃｍ）▲１▼を設け、通常は右開（施工の都合によっては左開）扉▲２▼（巾４０ｃｍ・高さ５０ｃｍ・厚さ１ｃｍ）を台座▲８▼より立てられた支柱▲７▼（４ｃｍ角の金属柱）にヒンジ▲５▼に２ヶで堅牢に取りつける。
（ロ）  そして扉▲２▼の下辺部に便座▲４▼（巾３０〜３５ｃｍ、長さ４０ｃｍ・厚さ１ｃｍ）に小判状の切り抜き穴を設け、便座カバー▲３▼（巾３０〜３５ｃｍ長さ４０ｃｍ・厚さ１ｍｍ）をヒンジ▲５▼で２ヶずつで取りつけ、上下に起倒して用便する。
なおこの便座▲４▼（座面高は３０ｃｍ、用便部（ドリップ）（巾２５〜３０ｃｍ、便器全体の奥行きは５０ｃｍ）のプラスチック製（又は陶器製）になっている。
（ハ）次に、男性が立ち小便するときは、便座カバー▲３▼と便座▲４▼は起立して扉▲２▼に粘着させて、面テープ▲６▼３を剥離して扉▲２▼を右（又は左）開きに解放して、用便部（ドリップ）を跨ぎ足場マーク▲１２▼Ｒ、Ｌ位置で排尿し、通常用便はストール▲１▼と扉▲２▼は面テープ▲６▼３を粘着させて、便座カバー▲３▼と便座▲４▼の面テープ▲６▼１と▲６▼２を着脱し用便する。
【図面の簡単な説明】
【０００５】
【図１】便器の左断面図
【図２】便器の構成正面図
【図３】便器の平面図と用便立場関係図
【符合の説明】
【０００６】▲１▼  ストール部
▲２▼  ストール部扉
▲３▼  便座カバー
▲４▼  便座
▲５▼  ヒンジ×６
▲６▼１  面テープ（便座と便座カバー用）
▲６▼２  面テープ（便座カバーと扉用）
▲６▼３  面テープ（扉とストール用）
▲７▼  支柱
▲８▼  台座
▲９▼  床面
▲１１▼Ｌ、Ｒ  男・女用便時の立場マーク（便器に後向き）
▲１２▼Ｒ、Ｌ  男性立ち小便時の立場マーク（便器前向き）
【手続補正３】
【補正対象書類名】図面
【補正対象項目名】全図
【補正方法】変更
【補正の内容】
【図１】
2020025842.tif 000010
【図２】
2020025842.tif 000011
【図３】
2020025842.tif 000012